(57)【要約】      （修正有）【課題】中枠紙に写真印画紙を位置決めして貼付ける作業を能率よく正確に行うことのできる写真印画紙貼付用治具を提供する。【解決手段】写真１，１，…が覗く窓４，４，…が形成され且つ裏面全体に接着剤層５ａが形成された中枠紙３に、縦横寸法が中枠紙よりも小さい写真印画紙２を位置決めして貼付けるためのものであって、中枠紙を載せる台部６と、台部の三方の縁部に沿って設けた位置決めガイド部７ａ，７ｂ，７ｃとを備え、位置決めガイド部は、内周側に中枠紙の縁部を受け入れる溝８を有し、対向位置にある２箇所の位置決めガイド部７ａ，７ｂが写真印画紙の縦寸法または横寸法と略同一の間隔Ｓをあけて配置してあり、中枠紙３を接着剤層５ａが形成された裏面を上にして縁部を位置決めガイド部７ａ，７ｂ，７ｃの溝８に差し入れるようにして台部６上にセットした後、写真印画紙２を印刷面を下にして位置決めガイド部７ａ，７ｂ，７ｃの内周縁に添わせて置くと、中枠紙３の窓４，４，…と写真印画紙２の写真１，１，…の位置が合致する。【選択図】図３−２
0003144234.tif 000002
【実用新案登録請求の範囲】
【請求項１】
写真が適宜レイアウトで印刷された写真印画紙と、写真印画紙の表面に重ねて接着される中枠紙とを備え、中枠紙は、写真印画紙の写真が覗く窓が形成してあると共に裏面全体に接着剤層を有し、写真印画紙表面の写真が印刷された部分以外の部分全体が中枠紙と接着していることを特徴とするアルバム。
【請求項２】
写真が適宜レイアウトで印刷された写真印画紙と、写真印画紙の表面に重ねて接着される中枠紙とを備え、中枠紙は、写真印画紙の写真が覗く窓が形成してあると共に裏面全体に接着剤層を有し、写真印画紙表面の写真が印刷された部分以外の部分全体が中枠紙と接着していることを特徴とする額。
【請求項３】
写真が覗く窓が形成され且つ裏面全体に接着剤層が形成された中枠紙に、縦横寸法が中枠紙よりも小さい写真印画紙を位置決めして貼付けるためのものであって、中枠紙を載せる台部と、台部の三方の縁部に沿って設けた位置決めガイド部とを備え、位置決めガイド部は、内周側に中枠紙の縁部を受け入れる溝を有し、対向位置にある２箇所の位置決めガイド部が写真印画紙の縦寸法または横寸法と略同一の間隔をあけて配置してあり、中枠紙を接着剤層が形成された裏面を上にして縁部を位置決めガイド部の溝に差し入れるようにして台部上にセットした後、写真印画紙を印刷面を下にして位置決めガイド部の内周縁に添わせて置くと、中枠紙の窓と写真印画紙の写真の位置が合致することを特徴とする写真印画紙貼付用治具。
【請求項４】
位置決めガイド部の溝の天面に非粘着層を設けてあることを特徴とする請求項３記載の写真印画紙貼付用治具。
【請求項５】
台部の位置決めガイド部を設けてない方の縁部に切り欠きを設けてあることを特徴とする請求項３又は４記載の写真印画紙貼付用治具。
【考案の詳細な説明】
【技術分野】
【０００１】
本考案は、アルバム及び額と、そのアルバムや額を製作する際に用いられる写真印画紙貼付用治具に関する。
【背景技術】
【０００２】
特許文献１には、写真のデータをパソコンで編集して一枚の写真印画紙に複数の写真を適宜レイアウトして印刷し、写真印画紙の写真のレイアウトに合わせて窓が形成された中枠紙を写真印画紙の表面に貼り付けて構成したアルバムが開示されている。このアルバムにおいては、写真印画紙の周縁部のみを両面テープ等により中枠紙に接着しており、写真同士をあまり近付けてレイアウトすると、中枠紙の窓と窓の間の枠の部分が細くなるため、その枠部が写真印画紙から浮き上がり、体裁が悪くなることがあった。また、中枠紙への写真印画紙の貼付けは、照明テーブル上に中枠紙を裏返しにして置き、中枠紙の窓を通して照射される光により、中枠紙の窓と写真印画紙の写真の位置を目視で合わせて写真印画紙を貼付けるようにしている。このとき、写真印画紙も裏返しの状態なので、写真の位置を窓と正確に位置合わせするのは容易ではなく、時間を掛けて慎重に行う必要があった。また写真印画紙を置くときに、手が震えたり風が吹いたりして位置がずれることもある。一度ずれた状態で貼り付けてしまうと、貼り直すのは容易ではない。
【特許文献１】特許２００３−１５４７７０号公報
【考案の開示】
【考案が解決しようとする課題】
【０００３】
本考案は以上に述べた実情に鑑み、写真同士を近付けてレイアウトしたときでも中枠紙の浮き上がりが生じないアルバム及び額と、中枠紙に写真印画紙を位置決めして貼付ける作業を能率よく正確に行うことのできる写真印画紙貼付用治具の提供を目的とする。
【課題を解決するための手段】
【０００４】
上記の課題を達成するために請求項１記載の考案によるアルバムは、写真が適宜レイアウトで印刷された写真印画紙と、写真印画紙の表面に重ねて接着される中枠紙とを備え、中枠紙は、写真印画紙の写真が覗く窓が形成してあると共に裏面全体に接着剤層を有し、写真印画紙表面の写真が印刷された部分以外の部分全体が中枠紙と接着していることを特徴とする。
【０００５】
請求項２記載の考案による額は、写真が適宜レイアウトで印刷された写真印画紙と、写真印画紙の表面に重ねて接着される中枠紙とを備え、中枠紙は、写真印画紙の写真が覗く窓が形成してあると共に裏面全体に接着剤層を有し、写真印画紙表面の写真が印刷された部分以外の部分全体が中枠紙と接着していることを特徴とする。
【０００６】
請求項３記載の考案による写真印画紙貼付用治具は、写真が覗く窓が形成され且つ裏面全体に接着剤層が形成された中枠紙に、縦横寸法が中枠紙よりも小さい写真印画紙を位置決めして貼付けるためのものであって、中枠紙を載せる台部と、台部の三方の縁部に沿って設けた位置決めガイド部とを備え、位置決めガイド部は、内周側に中枠紙の縁部を受け入れる溝を有し、対向位置にある２箇所の位置決めガイド部が写真印画紙の縦寸法または横寸法と略同一の間隔をあけて配置してあり、中枠紙を接着剤層が形成された裏面を上にして縁部を位置決めガイド部の溝に差し入れるようにして台部上にセットした後、写真印画紙を印刷面を下にして位置決めガイド部の内周縁に添わせて置くと、中枠紙の窓と写真印画紙の写真の位置が合致することを特徴とする。
【０００７】
請求項４記載の考案による写真印画紙貼付用治具は、請求項３記載の考案の構成に加え、位置決めガイド部の溝の天面に非粘着層を設けてあることを特徴とする。
【０００８】
請求項５記載の考案による写真印画紙貼付用治具は、請求項３又は４記載の考案の構成に加え、台部の位置決めガイド部を設けてない方の縁部に切り欠きを設けてあることを特徴とする。
【考案の効果】
【０００９】
請求項１記載の考案によるアルバムは、中枠紙の裏面全体に接着剤層を設け、写真印画紙表面の写真が印刷された部分以外の部分全体が中枠紙と接着しているので、写真同士を近付けてレイアウトしたときでも中枠紙の浮き上がりが生じない。
【００１０】
請求項２記載の考案による額は、中枠紙の裏面全体に接着剤層を設け、写真印画紙表面の写真が印刷された部分以外の部分全体が中枠紙と接着しているので、写真同士を近付けてレイアウトしたときでも中枠紙の浮き上がりが生じない。
【００１１】
請求項３記載の考案による写真印画紙貼付用治具は、中枠紙を接着剤層が形成された裏面を上にして縁部を位置決めガイド部の溝に差し入れるようにして台部上にセットした後、写真印画紙を印刷面を下にして位置決めガイド部の内周縁に添わせて置くと、中枠紙の窓と写真印画紙の写真の位置が合致するため、中枠紙に写真印画紙を位置決めして貼付ける作業を能率よく正確に行うことができる。
【００１２】
請求項４記載の考案による写真印画紙貼付用治具は、位置決めガイド部の溝の天面に非粘着層を設けてあるので、中枠紙を台部上にセットする際などに、中枠紙の接着剤層が位置決めガイド部の溝にくっつくのを防止できる。
【００１３】
請求項５記載の考案による写真印画紙貼付用治具は、台部の位置決めガイド部を設けてない方の縁部に切り欠きを設けてあるので、貼り合せた中枠紙と写真印画紙を、台部の切り欠きのところでつまんで容易に引き出せる。
【考案を実施するための最良の形態】
【００１４】
以下、本考案の実施の形態を図面に基づいて説明する。本考案のアルバムは、図４，５に示すように、複数の写真１，１，…が適宜レイアウトでプリントされた写真印画紙２の表面に、写真印画紙２の写真１，１，…のレイアウトに合わせて写真１，１，…が覗く窓４，４，…が形成された中枠紙３を貼り合せ、貼り合せた写真印画紙２と中枠紙３を台紙１０に貼り付けて製作される。
写真印画紙２は、デジタルカメラ等で撮影した写真１，１，…のデータをパソコンに取り込み、パソコンには写真１，１，…のレイアウトがそれぞれ異なる複数のテンプレートが記憶させてあり、パソコンの画面上で選択した一のテンプレートに写真１，１，…を貼付ける編集作業を行い、編集したテンプレートを一枚のフォトプリント紙にプリントしたものである。したがって、客の注文に応じて好きな写真１，１，…を好きなレイアウトで配置できる。写真印画紙２は、縦横寸法が２３ｃｍの正方形となっている。
中枠紙３は、白色や黒色等の厚紙で形成されており、縦横寸法が２５ｃｍの正方形となっており、写真印画紙２と貼り合せると写真印画紙２の周囲から１ｃｍずつはみ出すようになっている。写真１，１，…が覗く窓４，４，…は、図２に示すように、外周側に拡がるように切断面４ａが斜めに形成してあり、そのため写真１が窓４から体裁よく見える。また窓４，４，…は、上下左右の縁部が写真１，１，…の周縁部に３ｍｍずつかぶさるように、写真１，１，…よりも若干小さい寸法で形成してある。また中枠紙３は、図３−１（ａ）に示すように、裏面全体に接着剤層５ａと剥離紙５ｂよりなるタック紙５を設けてあり、剥離紙５ｂを剥がして中枠紙３と写真印画紙２とを位置決めして貼り合せることで、写真印画紙２の写真１，１，…が印刷された部分以外の部分全体が中枠紙３と接着している。そのため、中枠紙３の窓４と窓４の間の細い枠の部分１１が写真印画紙２から浮き上がることがなく、見映えの良いアルバム片とすることができる。
【００１５】
図１は、中枠紙３と写真印画紙２を貼り合せる際に用いられる治具を示し、図３−１，３−２は、この治具を使用して中枠紙３と写真印画紙２を貼り合せる手順を示している。この治具は、中枠紙３よりも一回り大きな略正方形の板状の台部６と、台部６の表面の上下の縁部と左側の縁部に沿って設けた位置決めガイド部７ａ，７ｂ，７ｃとを有している。各位置決めガイド部７ａ，７ｂ，７ｃは、内周側に中枠紙３の縁部を受け入れる溝８が形成してある。上下の位置決めガイド部７ａ，７ｂの溝８の奥行き寸法ｙは、中枠紙３と写真印画紙２の縦寸法の差の半分の寸法（１ｃｍ）となっており、左側の位置決めガイド部７ｃの溝８の奥行き寸法ｘは、中枠紙３と写真印画紙２の横寸法の差の半分の寸法（１ｃｍ）となっている。上下の位置決めガイド部７ａ，７ｂは、写真印画紙２の縦寸法と略同一の間隔Ｓをあけて配置してある。各溝８の高さｈは、中枠紙３の厚みよりも若干大きくなっており、溝８の天面には非粘着層１２が設けてある。非粘着層１２は、剥離紙を溝８の天面に貼付けることにより形成している。台部６の右側の縁部には、半円形の切り欠き９が設けてある。台部６及び位置決めガイド部７ａ，７ｂ，７ｃは、アクリル等の透明な樹脂で形成してある。
【００１６】
この治具を使用して中枠紙３と写真印画紙２を貼り合せる手順を、図３−１，３−２に即して説明する。まず、図３−１（ａ）に示すように、中枠紙３を裏返しにし、剥離紙５ｂを剥がして裏面の接着剤層５ａを露出させる。次に、図３−１（ｂ）に示すように、裏返しにした中枠紙３を、その縁部を位置決めガイド部７ａ，７ｂ，７ｃの溝８に差し入れるようにして側方から台部６上にセットする。これにより中枠紙３は、がたつきなく台部６上に位置決めして保持される。次に、図３−２（ｃ）に示すように、裏返しにした写真印画紙２を、上下の縁と左側の縁を位置決めガイド部７ａ，７ｂ，７ｃの内周縁に添わせるようにして中枠紙３の上に置くと、図３−２（ｄ）に示すように、中枠紙３の窓４，４，…と写真印画紙２の写真１，１，…の位置が合致した状態で両者が貼り合せられる。その後、貼り合わせた中枠紙３と写真印画紙２を台部６の切り欠き９の部分でつまんで引き出し、写真印画紙２からはみ出した中枠紙３の接着剤層５ａによりアルバムの台紙１０に貼付ける。
【００１７】
以上に述べたように、本治具を使用することで中枠紙３と写真印画紙２とを手間無く正確に位置決めして貼り合せることができる。位置決めガイド部７ａ，７ｂ，７ｃの溝８の天面には非粘着層１２が形成してあるので、中枠紙３を台部６上にセットするときや引き出すときに、中枠紙６の接着剤層５ａが溝８の天面にくっつくのを防止できる。なお図示の例では、中枠紙３を台部６に側方からセットしているが、中枠紙３と写真印画紙２はいずれも正方形なので、中枠紙３を台部６に上下方向からセットすることもできる。
【００１８】
貼り合わせた中枠紙３と写真印画紙２を、紙製、プラスチック製、金属製等の額１３に納めることもできる。図６は、額とする場合の一実施形態を示しており、貼り合わせた中枠紙３と写真印画紙２とを２枚のプラスチック板１４ａ，１４ｂの間に挟み、２枚のプラスチック板１４ａ，１４ｂをネジ１５で固定している。表側のプラスチック板１４ａは透明になっている。
【００１９】
本考案は以上に述べた実施形態に限定されない。写真印画紙は写真が１つだけプリントされ、中枠紙は窓が１つだけ形成されたものでもよい。中枠紙と写真印画紙は、長方形であってもよい。
【図面の簡単な説明】
【００２０】
【図１】（ａ）は本考案の写真印画紙貼付用治具の平面図であり、（ｂ）は同側面図である。
【図２】中枠紙の断面図である。
【図３−１】本考案の写真印画紙貼付用治具の使用手順を示す斜視図であって、（ａ）は中枠紙の剥離紙を剥がすときの状態、（ｂ）は中枠紙を台部上にセットするときの状態を示している。
【図３−２】図３−１の続きで、（ｃ）は中枠紙の上に写真印画紙を置くときの状態、（ｄ）は写真印画紙を中枠紙と貼り合わせた状態を示している。
【図４】本考案のアルバムの一実施形態を示す見開き状態での正面図である。
【図５】同アルバムのアルバム片の構成を示す斜視図である。
【図６】（ａ）は本考案の額の一実施形態を示す正面図であり、（ｂ）は同側面図である。
【符号の説明】
【００２１】
１  写真
２  写真印画紙
３  中枠紙
４  窓
５ａ  接着剤層
５  タック紙
６  台部
７ａ，７ｂ，７ｃ  位置決めガイド部
８  溝
９  切り欠き
１２  非粘着層
１３  額
Ｓ  対向する位置決めガイド部の間隔
【図１】
0003144234.tif 000003
【図２】
0003144234.tif 000004
【図３−１】
0003144234.tif 000005
【図３−２】
0003144234.tif 000006
【図４】
0003144234.tif 000007
【図５】
0003144234.tif 000008
【図６】
0003144234.tif 000009